(57)【要約】【課題】食品陳列用容器の剛性を向上させることができ、また、食品を容易に搬送できると共に、陳列作業の簡素化が図れる食品陳列用容器を提供すること。【解決手段】合成樹脂シートの成形体からなる上面が開口した箱状の容器本体１０と、該容器本体１０の端部に開閉自在に係止された容器本体の開口を塞ぐ透明な蓋体２０と、前記容器本体１０に収容される内容器３０から構成された食品陳列用容器１とした。【選択図】        図１
0003163457.tif 000002
【実用新案登録請求の範囲】
【請求項１】
合成樹脂シートの成形体からなる上面が開口した箱状の容器本体と、該容器本体の端部に開閉自在に係止された容器本体の開口を塞ぐ透明な蓋体と、前記容器本体に収容される内容器から構成されていることを特徴とする、食品陳列用容器。
【請求項２】
上記内容器が、収容物を区分けするための仕切り壁を有していることを特徴とする、請求項１に記載の食品陳列用容器。
【請求項３】
上記内容器が、その底板に液体が通過可能な貫通孔を有していることを特徴とする、請求項１に記載の食品陳列用容器。
【請求項４】
上記内容器が、少なくとも底板が二重構造に形成され、食品載置側の底板に液体が通過可能な貫通孔を有していることを特徴とする、請求項１に記載の食品陳列用容器。
【請求項５】
上記内容器が、合成樹脂シート成形体からなることを特徴とする、請求項１に記載の食品陳列用容器。
【請求項６】
上記内容器が、その内側面に合成樹脂フィルムが積層接着されてなることを特徴とする、請求項１に記載の食品陳列用容器。
【請求項７】
上記内容器を構成する合成樹脂シート成形体が、ポリスチレン系樹脂シート成形体であり、上記合成樹脂フィルムが、ポリスチレン系樹脂フィルムであることを特徴とする、請求項６に記載の食品陳列用容器。
【請求項８】
上記内容器を構成する合成樹脂シート成形体が、ポリスチレン系樹脂シート成形体であり、上記合成樹脂フィルムが、ポリオレフィン系樹脂フィルムであることを特徴とする、請求項６に記載の食品陳列用容器。
【請求項９】
上記合成樹脂フィルムが、柄フィルム、或いは着色フィルムであることを特徴とする、請求項６〜８のいずれかに記載の食品陳列用容器。
【請求項１０】
上記内容器を構成する合成樹脂シート成形体が、合成樹脂発泡シートを熱成形してなる発泡シート成形体であることを特徴とする、請求項５に記載の食品陳列用容器。
【請求項１１】
上記発泡シート成形体が、ポリスチレン系樹脂発泡シート成形体であることを特徴とする、請求項１０に記載の食品陳列用容器。
【請求項１２】
上記内容器が、その内側面に不織布が積層接着されてなることを特徴とする、請求項１に記載の食品陳列用容器。
【請求項１３】
上記内容器が、吸水性を有する連続気泡性発泡層と独立気泡性発泡層とからなることを特徴とする、請求項１に記載の食品陳列用容器。
【請求項１４】
上記容器本体が、ポリスチレン系樹脂シートを熱成形してなるシート成形体からなることを特徴とする、請求項１に記載の食品陳列用容器。
【請求項１５】
上記容器本体の後端部と上記蓋体の後端部とが結合され、上記蓋体が上記容器本体に対して開閉自在とされていることを特徴とする、請求項１に記載の食品陳列用容器。
【請求項１６】
上記蓋体の前端部下面及び両側端部下面にそれらのほぼ全長にわたって凸条又は凹条の一方が形成され、上記容器本体における上記蓋体と対向する部分に凸条又は凹条の他方が形成せれ、それらの凸条及び凹条を互いに重なり合わせることによって、上記蓋体が上記容器本体に位置決めされることを特徴とする、請求項１に記載の食品陳列用容器。
【請求項１７】
請求項１〜１６のいずれかに記載の食品陳列用容器に用いられる内容器。
【請求項１８】
上記内容器が、その開口を閉塞する蓋体を有していることを特徴とする、請求項１７に記載の内容器。
【考案の詳細な説明】
【技術分野】
【０００１】
本考案は、食品陳列用容器及び該食品陳列用容器に用いられる内容器に関するものである。
【背景技術】
【０００２】
スーパーマーケットなどにおいて、カツ、コロッケ、てんぷらなどの惣菜は、それらをトレー上に並べた状態で販売されており、購入者は、そこからトングで惣菜を挟んで取り出し、別の容器に入れてレジまで持参する。
このように惣菜が、トレー上に裸のまま並べられていると、周囲から塵埃などが付着する虞があり、非衛生的である。
そこで、スーパーマーケットによっては、透明な蓋を有する容器（例えば、特許文献１、特許文献２など）を使用し、容器内に惣菜を並べた状態で収容し、蓋をして食品を保護し、購入する際に、購入者が蓋を開けて中から惣菜を取り出し、その後蓋を閉じるようにしている。
【先行技術文献】
【特許文献】
【０００３】
【特許文献１】実用新案登録第３０９３２００号
【特許文献２】実用新案登録第３１５４６１４号
【考案の概要】
【考案が解決しようとする課題】
【０００４】
しかしながら、上記した特許文献に開示された食品陳列用容器にあっては、その全体が薄い合成樹脂シートの成形品で構成されているため、使用態様によっては容器の剛性が不足し、容器の形状が崩れてしまう場合があった。
また、陳列場所（売り場）から離れた場所で食品を調理している場合などにおいて、該食品を容易に搬送できると共に、陳列作業の簡素化が図れる食品陳列用容器の出現が望まれていた。
【０００５】
本考案は、上述した背景技術が有する課題及び要望に鑑みなされたものであって、その目的は、食品陳列用容器の剛性を向上させることができ、また、食品を容易に搬送できると共に、陳列作業の簡素化が図れる食品陳列用容器、及び該食品陳列用容器に用いられる内容器を提供することにある。
【課題を解決するための手段】
【０００６】
上記した目的を達成するため、請求項１の食品陳列用容器は、合成樹脂シートの成形品からなる上面が開口した箱状の容器本体と、該容器本体の端部に開閉自在に係止された容器本体の開口を塞ぐ透明な蓋体と、前記容器本体に収容される内容器から構成されていることを特徴とする。
【０００７】
また、請求項２の食品陳列用容器は、上記請求項１の考案において、上記内容器が、収容物を区分けするための仕切り壁を有していることを特徴とする。
【０００８】
また、請求項３の食品陳列用容器は、上記請求項１の考案において、上記内容器が、その底板に液体が通過可能な貫通孔を有していることを特徴とする。
【０００９】
また、請求項４の食品陳列用容器は、上記請求項１の考案において、上記内容器が、少なくとも底板が二重構造に形成され、食品載置側の底板に液体が通過可能な貫通孔を有していることを特徴とする。
【００１０】
また、請求項５の食品陳列用容器は、上記請求項１の考案において、上記内容器が、合成樹脂シート成形体からなることを特徴とする。
【００１１】
また、請求項６の食品陳列用容器は、上記請求項１の考案において、上記内容器が、その内側面に合成樹脂フィルムが積層接着されてなることを特徴とする。
【００１２】
また、請求項７の食品陳列用容器は、上記請求項６の考案において、上記内容器を構成する合成樹脂シート成形体が、ポリスチレン系樹脂発泡シート成形体であり、上記合成樹脂フィルムが、ポリスチレン系樹脂フィルムであることを特徴とする。
【００１３】
また、請求項８の食品陳列用容器は、上記請求項６の考案において、上記内容器を構成する合成樹脂シート成形体が、ポリスチレン系樹脂発泡シート成形体であり、上記合成樹脂フィルムが、ポリオレフィン系樹脂フィルムであることを特徴とする。
【００１４】
また、請求項９の食品陳列用容器は、上記請求項６〜８のいずれかの考案において、上記合成樹脂フィルムが、柄フィルム、或いは着色フィルムであることを特徴とする。
【００１５】
また、請求項１０の食品陳列用容器は、上記請求項１の考案において、上記内容器を構成する合成樹脂シート成形体が、合成樹脂発泡シートを熱成形してなる発泡シート成形体であることを特徴とする。
【００１６】
また、請求項１１の食品陳列用容器は、上記請求項１０の考案において、上記発泡シート成形体が、ポリスチレン系樹脂発泡シート成形体であることを特徴とする。
【００１７】
また、請求項１２の食品陳列用容器は、上記請求項１の考案において、上記内容器が、その内側面に不織布が積層接着されてなることを特徴とする。
【００１８】
また、請求項１３の食品陳列用容器は、上記請求項１の考案において、上記内容器が、吸水性を有する連続気泡性発泡層と独立気泡性発泡層とからなることを特徴とする。
【００１９】
また、請求項１４の食品陳列用容器は、上記請求項１の考案において、上記容器本体が、ポリスチレン系樹脂シートを熱成形してなるシート成形体からなることを特徴とする。
【００２０】
また、請求項１５の食品陳列用容器は、上記請求項１の考案において、上記容器本体の後端部と上記蓋体の後端部とが結合され、上記蓋体が上記容器本体に対して開閉自在とされていることを特徴とする。
【００２１】
また、請求項１６の食品陳列用容器は、上記請求項１の考案において、上記蓋体の前端部下面及び両側端部下面にそれらのほぼ全長にわたって凸条又は凹条の一方が形成され、上記容器本体における上記蓋体と対向する部分に凸条又は凹条の他方が形成せれ、それらの凸条及び凹条を互いに重なり合わせることによって、上記蓋体が上記容器本体に位置決めされることを特徴とする。
【００２２】
また、請求項１７の内容器は、上記請求項１〜１６のいずれかに記載の食品陳列用容器に用いられる内容器である。
【００２３】
また、請求項１８の内容器は、上記請求項１７の考案において、上記内容器が、その開口を閉塞する蓋体を有していることを特徴とする。
【考案の効果】
【００２４】
上記した請求項１の食品陳列用容器によれば、合成樹脂シートの成形体からなる容器本体が、内容器により補強されるため、食品を収納した状態で搬送した場合などにも、食品収納容器の形状が崩れ難く、収納した食品が落ちる虞がない。また、陳列場所（売り場）から離れた場所で食品を調理している場合などには、その調理場において内容器に調理食品を収容して輸送することができ、さらにそのまま内容器を容器本体にセットすることできるため、陳列作業の簡素化が図れる。また、収容される食品に応じて内容器の色柄等を変更すればよいので、コスト面でも優れたものとなる。
【００２５】
また、上記した請求項２の食品陳列用容器によれば、内容器に仕切り壁が形成されているので、一つの食品陳列用容器内に、複数の食品を分けて収容することができると共に、剛性をさらに向上させることができる。
【００２６】
また、上記した請求項３の食品陳列用容器によれば、内容器の底板に貫通孔が形成されているので、惣菜などから出る水分または油分や、生鮮物から出るドリップを貫通孔を介して排出することができ、内容物の見栄えが良くなり、購入者の購買意欲を向上させることができる。
【００２７】
また、上記した請求項４の食品陳列用容器によれば、内容器の少なくとも底板が二重構造に形成され、食品載置側の底板に貫通孔が形成されているので、断熱性が向上したものとなると共に、該内容器に惣菜を入れて搬送する際などに、貫通孔から排出された水分や油分は底部の二重構造の間隙に溜まることとなり、周囲を汚すことがない。
【００２８】
また、上記した請求項５の食品陳列用容器によれば、内容器が合成樹脂シート成形体からなるので、安価である上、容易に所望の形状どおりに成形することができるため容器本体の収容部への収まりが良い内容器となる。
【００２９】
また、上記した請求項６の食品陳列用容器によれば、内容器の内側面に合成樹脂フィルムが積層接着されているので、剛性がより向上したものとなり、また、見栄えもよいものとなる。
【００３０】
また、上記した請求項７の食品陳列用容器によれば、内容器を形成する合成樹脂シート成形体がポリスチレン系樹脂シート成形体である場合に、積層接着されている合成樹脂フィルムがポリスチレン系樹脂フィルムであると、特にリサイクル性に優れたものとなる。
【００３１】
また、上記した請求項８の食品陳列用容器によれば、内容器を形成する合成樹脂シート成形体がポリスチレン系樹脂シート成形体である場合に、積層接着されている合成樹脂フィルムがポリオレフィン系樹脂フィルムであると、耐油性に優れたものとなる。
【００３２】
また、上記した請求項９の食品陳列用容器によれば、積層接着されている合成樹脂フィルムが図形、模様、文字などが印刷された柄フィルム、或いは漆調、木目調などに着色された着色フィルムであるので、売り場の演出が可能となり、購入者の購買意欲を向上させることができる。
【００３３】
また、上記した請求項１０の食品陳列用容器によれば、内容器を構成する合成樹脂シート成形体が、合成樹脂発泡シートを熱成形してなる発泡シート成形体であるので、軽量性と剛性とのバランスに優れるために、軽量な内容器でありながらも容器本体の剛性を効果的に補強することができる。
【００３４】
また、上記した請求項１１の食品陳列用容器によれば、発泡シート成形体がポリスチレン系樹脂発泡シート成形体であるので、特に熱成形性および剛性に優れるために、容器本体の剛性をより効果的に補強することができる。
【００３５】
また、上記した請求項１２の食品陳列用容器によれば、内容器の内側面に不織布が積層接着されているので、惣菜などから出る水分または油分や、生鮮物から出るドリップを吸収することができ、内容物の見栄えが良くなり、購入者の購買意欲を向上させることができる。
【００３６】
また、上記した請求項１３の食品陳列用容器によれば、内容器が吸水性を有する連続気泡性発泡層と独立気泡性発泡層とからなるものであるので、同じく惣菜などから出る水分を吸収することができ、内容物の見栄えが良くなり、購入者の購買意欲を向上させることができる。
【００３７】
また、上記した請求項１４の食品陳列用容器によれば、容器本体がポリスチレン系樹脂シートを熱成形してなるシート成形体からなるので、安価である上、熱成形性に優れているために所望の形状どおりに成形することができる。
【００３８】
また、上記した請求項１５の食品陳列用容器によれば、容器本体の後端部と蓋体の後端部とが結合され、蓋体が容器本体に対して開閉自在とされているため、開放される部分が広く、従って、食品の取り出しが容易となる。
【００３９】
また、上記した請求項１６の食品陳列用容器によれば、蓋部の周縁が容器本体の周縁に凸条及び凹条によって重なり合うため、外部からの容器内への塵埃などの侵入を効果的に防ぐことができる。
【００４０】
また、上記した請求項１７の内容器によれば、上記請求項１〜１６のいずれかに記載の食品陳列用容器が奏する効果を実現できる内容器となる。
【００４１】
また、上記した請求項１８の内容器によれば、開口を閉塞する蓋体を有しているため、輸送時などに異物が混入することを防止することができ、さらに、蓋体の形状によっては、内容器を積み重ねて輸送することができる。
【図面の簡単な説明】
【００４２】
【図１】本考案に係る食品陳列用容器の一実施の形態を示した分解斜視図である。
【図２】図１に示した食品陳列用容器を組み付け、蓋を閉じた状態を示した斜視図である。
【図３】図２に示した食品陳列用容器の蓋を開けた状態を示した斜視図である。
【図４】図２におけるＡ−Ａ線に沿う部分の拡大断面図である。
【図５】図２におけるＢ−Ｂ線に沿う部分の拡大断面図である。
【図６】図２におけるＣ−Ｃ線に沿う部分の拡大断面図である。
【図７】本考案に係る食品陳列用容器に用いる内容器の他の実施の形態を示した斜視図である。
【図８】本考案に係る食品陳列用容器に用いる内容器の更に他の実施の形態を示した断面図である。
【図９】図１に示した食品陳列用容器に用いた内容器、及び該内容器の蓋体を示した分解斜視図である。
【図１０】図９に示した内容器に惣菜を収納し、複数個を積み上げた状態を示した一部切り欠き断面図である。
【考案を実施するための形態】
【００４３】
以下、上記した本考案に係る食品陳列用容器を、図面に示した実施の形態に基づいて詳細に説明する。
【００４４】
図１〜図６は、本考案に係る食品陳列用容器の一実施の形態を示しており、該食品陳列用容器１は、上面が開口した箱状の容器本体１０と、該容器本体１０の端部に開閉自在に係止された容器本体の開口を塞ぐ透明な蓋体２０と、前記容器本体１０に収容される内容器３０から構成されている。
【００４５】
上記容器本体１０は、収容部１１を有している。そして、後記する蓋体２０の組み付け部を容器本体１０の後方としたとき、前記収容部１１を画成する前面壁１２ａ、両側面壁１２ｂ，１２ｂ、後面壁１２ｃの上端には、全周にわたって外方へ拡張されたフランジ１３が形成されており、該フランジ１３の周縁には、下方に折り曲げられ、さらに水平方向外方へ張り出す縁部１４が形成されている。
【００４６】
そして、前面壁１２ａ及び両側面壁１２ｂ，１２ｂのフランジ部分１３ａ，１３ｂ，１３ｂには、その幅方向中央にほぼ全長にわたって凹条１５が形成されている。また、後面壁１２ｃのフランジ部分１３ｃは、上記フランジ部分１３ａ，１３ｂ，１３ｂよりも幅が広く形成されている。そして、そのフランジ部分１３ｃには、斜め上方に向けて収容部１１に開口された３つの凹部１６が形成され、該凹部１６によって後面壁１２ｃの外方に向けて張り出す補強リブが構成されている。また、このフランジ部分１３ｃの凹部１６を除く部分には、上方に開口する４つの円形凹部１７が形成されている。また、容器本体１０の底壁１２ｄには、斜め帯状の凸模様１８が収容部１１に突出形成されている。
【００４７】
一方、上記容器本体１０の開口を塞ぐ蓋体２０は、上方に膨出する形状を有し、例えばドーム形状に形成され、それによって下方に向けて開放された天井空間２１を画成している。この蓋体２０は、上記容器本体１０とほぼ同じ外郭を有しており、前面壁２２ａ，両側面壁２２ｂ，２２ｂ、後面壁２２ｃの下端には、全周にわたって外方へ拡張されたフランジ２３が形成されている。そして、前面壁２２ａ及び両側面壁２２ｂ，２２ｂのフランジ部分２３ａ，２３ｂ，２３ｂには、その幅方向中央にほぼ全長にわたって下方に突出する凸条２４が形成されている。また、後面壁２２ｃのフランジ部分２３ｃは、上記フランジ部分２３ａ，２３ｂ，２３ｂよりも幅が広く形成されている。
【００４８】
上記幅が広く形成された後面壁２２ｃのフランジ部分２３ｃには、下方へ突出する４つの円形凸部２５が形成され、また、ヒンジ２６がフランジ部分２３ｃの基部の全幅にわたって形成されている。このヒンジ２６は、フランジ部分２３ｃの幅方向に溝を形成することによって構成してもよく、又は折癖をつけることによって構成してもよい。また、前面壁２２ａには、外方に開口する窪み２７が形成され、前面壁２２ａのフランジ部分２３ａには、外方に突出する把手２８が延設されている。
【００４９】
上記のように構成された容器本体１０と蓋体２０とは、蓋体２０の後面壁２２ｃのフランジ部分２３ｃに形成された円形凸部２５を、容器本体１０の後面壁１２ｃのフランジ部分１３ｃに形成された円形凹部１７に嵌合することによって、結合される。
この結合方法により、容器本体１０と蓋体２０とを強固に信頼性高く結合できるが、蓋体２０の容器本体１０への結合方法の他の態様としては、蓋体の後端側に舌片を設け、容器本体の後端側のフランジ部分に切り込みを設け、該切り込みに上記舌片を挿入することによって、容器本体に蓋体を開閉自在に係止する態様などが挙げられる。
【００５０】
上記のようにして組み付けられた容器本体１０と蓋体２０とは、容器本体１０のフランジ部分１３ｃと蓋体２０のフランジ部分２３ｃとが互いに結合され、容器本体１０の凹条１５に蓋体２０の凸条２４が挿嵌され、容器本体１０と蓋体２０とが良好に位置決めされ、外部からの塵埃などの侵入を効果的に防ぐことができるものとなる。
【００５１】
上記容器本体１０及び蓋体２０は、いずれも合成樹脂シートの成形体により構成されている。この合成樹脂シートの基材樹脂としては、スチレンの単独重合体樹脂、スチレンと他のモノマーとから製造されたスチレン系共重合体樹脂、スチレンの単独重合体樹脂又は／及びスチレン系共重合体樹脂とスチレン−ブタジエンブロック共重合体との混合物、ゴム状重合体の存在下でスチレン系モノマーを重合することによって得られるゴム変性スチレン系樹脂（耐衝撃性ポリスチレン）、或いは上記したスチレン系の樹脂と他の樹脂又は／及びゴム状重合体との混合物などの、スチレン成分比率が５０重量％以上であるポリスチレン系樹脂或いはポリスチレン系樹脂組成物；エチレンの単独重合体樹脂、エチレンと他のモノマーとから製造されたエチレン系共重合体樹脂、エチレンの単独重合体樹脂又は／及びエチレン系共重合体樹脂にスチレン系モノマーなどのビニルモノマーを含浸させて重合してなるグラフト変性エチレン系樹脂、或いは上記エチレン系の樹脂と他の樹脂又は／及びゴム状重合体との混合物などの、エチレン成分比率が５０重量％以上であるポリエチレン系樹脂或いはポリエチレン系樹脂組成物；プロピレンの単独重合体樹脂、プロピレンと他のモノマーとから製造されたプロピレン系共重合体樹脂、プロピレンの単独重合体樹脂又は／及びプロピレン系共重合体樹脂にスチレン系モノマーなどのビニルモノマーを含浸させて重合してなるグラフト変性プロピレン系樹脂、或いは上記プロピレン系の樹脂と他の樹脂又は／及びゴム状重合体との混合物などの、プロピレン成分比率が５０重量％以上であるポリプロピレン系樹脂或いはポリプロピレン系樹脂組成物；ポリエチレンテレフタレート、ポリブチレンテレフタレート、テレフタル酸とエチレングリコールとシクロヘキサンジメタノールとの共重合体などの芳香族ポリエステル樹脂；ポリカーボネート樹脂；ポリアミド樹脂；ポリフェニレンエーテル樹脂；或いは上記した樹脂の２以上の混合物などが例示される。
【００５２】
特に上記の中でも、容器本体１０としては、ポリスチレン系樹脂、ポリスチレン系樹脂組成物、ポリプロピレン系樹脂或いはポリプロピレン系樹脂組成物を基材樹脂とする熱可塑性樹脂シートからなるものがコスト面、及び強度と軽量性とのバランスに優れる点で好ましく、その中でも、ポリスチレン系樹脂或いはポリスチレン樹脂組成物を基材樹脂とする熱可塑性樹脂シートからなるものは、特に安価である上、熱成形性に優れ所望の形状どおりに成形し易いことから好ましい。
【００５３】
一方、蓋体２０としては、上記した樹脂又は樹脂組成物を基材樹脂とする透明性の高い樹脂、中でも、ポリスチレン系樹脂，ポリエステル系樹脂，ポリプロピレン系樹脂から選択される一種以上の熱可塑性樹脂シートからなるものが好適に使用される。上記ポリプロピレン系樹脂としては、テルペン樹脂などの透明性改良剤をポリプロピレン系樹脂に添加したものや、ポリプロピレン系樹脂の結晶性を調整したものなどが挙げられる。
【００５４】
上記合成樹脂シートは、通常、厚み０．０５〜８．０ｍｍであるが、特に容器本体１０として使用される場合には、その厚みは０．１〜３．０ｍｍが好ましく、０．２〜２．０ｍｍがより好ましい。一方、蓋体２０として使用される場合には、その厚みは０．０７〜２．０ｍｍが好ましく、０．１〜１．０ｍｍがより好ましい。
【００５５】
上記合成樹脂シートの成形体は、従来周知の方法にて製造され、例えば、該合成樹脂シートを従来周知の真空成形、圧空成形などの熱成形手段により成形することにより、上記容器本体１０及び蓋体２０を得ることができる。また、容器本体１０を構成する上記合成樹脂シートは、着色剤、無機充填剤などの各種添加剤を配合したものとすることもできる。
【００５６】
上記容器本体１０に収容される内容器３０は、惣菜などの食品を収納する収容凹部３１を有する上面が開口した浅い箱体に形成されている。すなわち、底板３２と、該底板３２の周縁から斜め上方に立ち上がる４つの側壁３３とから構成されている。側壁３３の上端には、必要に応じて、肉厚部３４及び／又は外方に張り出すフランジ３５を形成することができ、それにより補強を図ることができる。
【００５７】
内容器３０の外形寸法は、上記容器本体１０の収容部１１の内形寸法と略同一に形成され、容器本体１０内に、ガタ付きなくすっぽり収納し得るものとなっていることが好ましい。
なお、内容器３０は、図７に示したように、収納凹部３１に仕切り壁３６が形成され、一つの容器内に、複数の食品を分けて収納できるものとしてもよく、この場合には、容器本体の剛性をより効果的に補強することができる。また、底板３２に貫通孔を形成し、惣菜などから出る水分や油分を排出できるようにすることは好ましく、この場合には、図８に示したように、内容器３０の少なくとも底板３２を二重構造とし、食品を載置する内側底板に貫通孔３７を形成した構成とすることもできる。このような二重構造の内容器３０とした場合には、断熱性が向上したものとなると共に、該内容器３０に惣菜を入れて搬送する際などに、貫通孔３７から排出された水分や油分は底部の二重構造の間隙に溜まることとなり、周囲を汚すことがない。貫通孔３７の大きさは、惣菜などから出る水分や油分を支障なく排出できる観点から０．５ｍｍ以上であることが好ましく、その形状は、円形、矩形、長円形、星形などであってよい。また、貫通孔３７に水分や油分を導く構成、例えば、貫通孔３７の周囲全体を該貫通孔３７に向けた傾斜面とする、貫通孔３７に向けた傾斜溝を形成するなどの構成を底板３２に施すことは好ましい態様である。
【００５８】
上記内容器３０は、合成樹脂成形体により構成されており、合成樹脂シートを熱成形してなる合成樹脂シート成形体や、インジェクション成形体、発泡粒子の型内成形体などが例示できる。これらの中でも、合成樹脂シート成形体が好ましい。内容器を構成する合成樹脂シート成形体としては、ソリッド（無発泡）シートの成形体、発泡シートの成形体のどちらの形態のものでも使用することができるが、特に軽量性と剛性のバランスに優れることから、合成樹脂発泡シートを熱成形してなる発泡シート成形体がより好ましい。この合成樹脂成形体の基材樹脂としては、ポリスチレン、スチレン−アクリル酸共重合体、スチレン−メタクリル酸共重合体、スチレン−無水マレイン酸共重合体、耐衝撃性ポリスチレン、スチレン−ブタジエン共重合体、スチレン−アクリロニトリル−ブタジエン共重合体などのポリスチレン系樹脂；分岐低密度ポリエチレン、直鎖低密度ポリエチレン、高密度ポリエチレン、ポリプロピレン、プロピレン−エチレン共重合体、プロピレン−ブテン共重合体、プロピレン−エチレン−ブテン共重合体などのポリオレフィン系樹脂；ポリ塩化ビニル、ポリエチレンテレフタレート、ポリブチレンテレフタレート、各種ポリアミドなどが例示されるが、経済性、加工性、剛性などの観点からみて、ポリスチレン系樹脂が最も好ましい。
【００５９】
上記内容器の平均厚みは、通常０．５〜５ｍｍ程度であり、内容器が発泡シート成形体からなる場合には、発泡倍率は３〜４０倍程度であることが、断熱性、保形性、強度などの観点から好ましい。
【００６０】
上記内容器の表面、特に内側面には、合成樹脂フィルムが積層されていてもよい。この合成樹脂フィルムの基材樹脂としては、上記した内容器の基材樹脂と同様のものを用いることが食品容器のリサイクル性などの観点から好ましい。また、内容器の基材樹脂がポリスチレン系樹脂からなる場合には、合成フィルムの基材樹脂がポリオレフィン系樹脂であると、内容器が耐油性に優れたものとなることから好ましい。また、これらの基材樹脂には、スチレン−ブタジエンゴム、ブタジエンゴム、エチレン−プロピレンラバー、イソプレンゴムなどのゴム分を２０重量％以下の割合で共重合又は混合することができる。更にまた、無機充填剤としてタルク、シリカ、炭酸カルシウム、クレー、ゼオライト、アルミナ、硫酸バリウム、水酸化マグネシウムなどを４０重量％を限度として添加することができる。無機充填剤を多量に添加することにより、合成樹脂のメルトインデックスの調整、燃焼カロリーの低減化、耐熱性の向上、強度の向上などを可能とする。
【００６１】
また、上記内容器の表面に積層する合成樹脂フィルムとして、図形、模様、文字などが印刷された柄フィルムを用いること、また、木目調、漆調などに着色された着色フィルムを用いることにより、売り場の演出が可能となり、購入者の購買意欲を向上させることもできる。更には、上記発泡シートに予め全体を着色剤を用いて着色しておくことにより、漆調、檜、桐などの種々の風合いを出すことができ、これらと積層する合成樹脂フィルムとを組み合わせて、より高級感にあふれた容器をつくることもできる。
【００６２】
積層する合成樹脂フィルムの厚みは、５〜５０μｍ、好ましくは１０〜３０μｍである。フィルムの厚みが厚すぎると、経済性その他で好ましくない。フィルムの厚みが薄すぎると、熱成形に際し、その合成樹脂フィルムに破断やクラックが生じる憂いや、着色フィルムである場合には色ムラが生じる憂いがある。
【００６３】
上記合成樹脂シートと合成樹脂フィルムとを積層接着する方法としては、従来周知の方法を採用することができ、前記発泡シートと前記合成樹脂フィルムとの間に熱風を吹き付けて接着する方法、前記発泡シートと前記合成樹脂フィルムとを熱ロールなどではさみ熱接着する方法、接着層を前記合成樹脂シートと前記合成樹脂フィルムとの間に押出しつつ同時に押出成形する方法などが例示される。
【００６４】
合成樹脂シートを熱成形する方法としては、従来周知の方法を採用することができ、真空成形、圧空成形やこれらの応用としてフリードローイング成形、ストレート成形、ドレープ成形、プラグ・アンド・リッジ成形、リッジ成形、マッチド・モールド成形、リバースドロー成形、エアースリップ成形、プラグアシスト成形、プラグアシストリバースドロー成形などや、樹脂シートの四辺を上方に折り曲げて側壁を形成し、側壁のつき合わせ部分を接着または熱融着させる方法、これらを組み合わせた方法が挙げられる。
【００６５】
また、上記内容器の表面、特に惣菜などを載置する内側面に、不織布が積層されているものとしてもよい。不織布は、パルプ繊維を主体とする繊維が分散堆積され、マット状或いはシート状に形成されたパルプ繊維マットをバインダーで結合し、パルプ繊維を固着してなるものが好ましい。不織布に用いられるパルプ繊維は、繊維長が０．０５〜５ｍｍであることが適当である。これは、繊維長が０．０５ｍｍ未満の場合、不織布の伸びが不十分になり、熱成形が困難となる。また繊維長が５ｍｍを超える場合、パルプ繊維から不織布を製造することが困難である。パルプ繊維不織布の厚みは０．２〜５ｍｍ、目付量４０〜３００ｇ／ｍ2のものが、風合、吸水性、吸油性、熱成形性において優れているため好ましい。なお、パルプ繊維からなる不織布は、１００％パルプ繊維からなるものでなくてもよく、パルプ繊維を主体とするものであればよい。
【００６６】
一般にパルプ繊維を用いた不織布は、熱可塑性繊維（例えばポリエチレン繊維など）を用いた不織布と比べ、吸水性、吸油性及び風合などの点が優れているが、加熱引張伸びが熱可塑性繊維と比較して不十分であり熱成形することは困難である。しかしながら、上記した特定長の不織布は、パルプ繊維を主体とするものでありながら、十分な加熱引張伸びを有するものであり、熱成形が可能である。更に、パルプ繊維は、熱可塑性繊維のように熱成形、熱接着などの加工の際に繊維自体が溶融することがないため、不織布自体の密度の上昇が小さく、加工後の軽量性、緩衝性、吸水性などが良好である。
【００６７】
合成樹脂シートを用いて、上記不織布を積層した内容器３０を熱成形するにあたっては、不織布を積層した樹脂シートを不織布が積層された側が容器の内側（惣菜などを載置する側）となるように金型にセットし、上記した種々の熱成形方法を採用して成形することができるが、その中でも、マッチド・モールド成形が最も好ましい。
【００６８】
更には、上記内容器として、吸水性を有する連続気泡性発泡層と独立気泡性発泡層とからなる発泡シート成形体を用いてもよい。
ここで、連続気泡性発泡層とは、該発泡層の連続気泡率が該発泡層の独立気泡率よりも高い発泡層であり、吸水性に優れた層となる。この連続気泡性発泡層の連続気泡率は６０％以上であることが好ましい。連続気泡率が６０％より低いと、発泡体内部の気泡と気泡のつながりが少なく、閉じた気泡の壁が数多く存在して水分や油分などを吸収する時の妨げとなり、吸収性が低下する。一方、独立気泡性発泡層とは、該発泡層の連続気泡率が該発泡層の独立気泡率よりも低い発泡層であり、強度に優れた層となる。この独立気泡性発泡層の連続気泡率は３０％以下であることが好ましい。連続気泡率が小さいほど発泡体の強度があり、成形時の二次発泡率も大きくなり、強度のある成形品が得られるので好ましい。
なお、上記連続気泡率（％）は、ＡＳＴＭ  Ｄ２８５６−８７記載の測定方法に準じて測定されたものである。
【００６９】
上記吸水性を有する連続気泡性発泡層と独立気泡性発泡層とからなる内容器は、真空成形、圧空成形など、従来公知の熱成形方法によって連続気泡性発泡層と独立気泡性発泡層とからなる発泡シートを成形することにより得ることができる。この際、連続気泡性発泡層側が容器の内側（惣菜などを載置する側）となるようにすると共に、連続気泡性発泡層の表面にその内部へ通じる開口部を設ければ、発泡体表面からその内部へ水を効率良く吸収することができ、しかも、外部に吸収した水が漏れでないものとすることができる。開口部は、例えばピンの着いたロール間に発泡シートを通してシートに穴を穿つ方法、ピンを備えた成形型を用いて発泡体の熱成形と同時に開口部を設ける方法、成形品のトリミングと同時に穴を開ける方法など、種々の方法を採ることができる。なお、開口部は例えば、連続気泡性発泡層を貫通した穴、連続気泡性発泡層を貫通しない穴のほか、連続気泡性発泡層の表面層を削り取ってできるものでもよい。また、開口部の穴としては、穴径０．１〜１ｍｍ、１〜１０個／ｃｍ2が好ましい。穴径が０．１ｍｍ未満或いは１個／ｃｍ2より少ないと水の吸収効率が低くなる虞があり、穴径が１ｍｍを超えるか或いは１０個／ｃｍ2より多すぎると成形品である内容器３０の強度が低下する虞がある。
【００７０】
上記した種々の合成樹脂成形体からなる内容器３０は、惣菜などの食品を収納凹部３１に収納した状態で、容器本体１０の収納部１１に入れられ、蓋体２０を閉めて陳列棚などに置かれる。その際、内容器３０の色柄をかえることにより、売り場の演出が可能となり、購入者の購買意欲を向上させることができる。また、内容器３０の構造或いは材質を上記したように種々かえることにより、耐熱、耐寒、耐油、ドリップ吸収などの効果を生むことができる。
そして、蓋体２０の把手２８及び窪み２７に指を掛け、該蓋体２０を上方に引き上げると、蓋体２０は、図３に示したように、ヒンジ２６を中心にして大きく開成される。そこで、購入者は内容器３０から惣菜などの食品を容易に取り出すことができ、その後、蓋体２０を閉めることにより、惣菜などの食品を衛生的に保つことができる。
【００７１】
また、陳列場所（売り場）から離れた場所で食品を調理している場合などには、該調理場などにおいて内容器３０に調理食品を収納し、陳列場所（売り場）まで輸送することができ、さらにそのまま内容器３０を容器本体１０の収納部１１に入れることができるため、陳列作業の簡素化を図ることができる。
内容器３０を、上記のように使用する場合には、図９及び図１０に示したように、該内容器３０の専用の蓋体４０を設けることが好ましい。
【００７２】
上記蓋体４０は、比較的深い箱状のもので、天板４１と、該天板４１の周縁から垂れ下がる４つの側壁４２とから構成されている。側壁４２の下端全周には、内容器３０の上端に形成されたフランジ３５に係合する係合段部４３が形成されている。また、側壁４２の適所には、補強及び意匠性を兼ねて波状のリブ４４が形成され、該波状のリブ４４などの上端は天板４１の上方まで延設され、天板４１の周縁に膨出部４５が形成されている。
このような蓋体４０を、調理場などにおいて内容器３０に調理食品を収納し、陳列場所まで輸送する際などに用いることにより、調理食品を衛生的に保つことができると共に、図１０に示したように、蓋体４０に形成された膨出部４５の存在により、段積みした際の落下を防止することができる。
この蓋体４０は、従来公知の成形方法により得られた合成樹脂シートの成形品により構成することができ、合成樹脂シートの基材樹脂としては、上記した容器本体１０、蓋体２０の形成に用いた合成樹脂と同様のものでよい。また、合成樹脂シートの厚みは０．０５〜１．５ｍｍが好ましく、０．０７〜０．７ｍｍがより好ましい。
【００７３】
以上、本考案に係る食品陳列用容器の実施の形態を説明したが、本考案は、何ら既述の実施の形態に限定されるものではなく、実用新案登録請求の範囲に記載した本考案の技術的思想の範囲内において、種々の変形、変更を加えた食品陳列用容器とすることができることは当然である。
【符号の説明】
【００７４】
１        食品陳列用容器
１０      容器本体
１１      収納部
１２ａ    前面壁
１２ｂ    側面壁
１２ｃ    後面壁
１２ｄ    底壁
１３      フランジ
１３ａ，１３ｂ，１３ｃ    フランジ部分
１４      縁部
１５      凹条
１６      凹部
１７      円形凹部
１８      凸条模様
２０      蓋体
２１      天井空間
２２ａ    前面壁
２２ｂ    側面壁
２２ｃ    後面壁
２３      フランジ
２３ａ，２３ｂ，２３ｃ    フランジ部分
２４      凸条
２５      円形凸部
２６      ヒンジ
２７      窪み
２８      把手
３０      内容器
３１      収容凹部
３２      底板
３３      側壁
３４      肉厚部
３５      フランジ
３６      仕切り壁
３７      貫通孔
４０      内容器用蓋体
４１      天板
４２      側壁
４３      係合段部
４４      波状のリブ
４５      膨出部
【図１】
0003163457.tif 000003
【図２】
0003163457.tif 000004
【図３】
0003163457.tif 000005
【図４】
0003163457.tif 000006
【図５】
0003163457.tif 000007
【図６】
0003163457.tif 000008
【図７】
0003163457.tif 000009
【図８】
0003163457.tif 000010
【図９】
0003163457.tif 000011
【図１０】
0003163457.tif 000012